(57)【要約】【課題】スロットの開口部側のコイルとティースとの間の沿面距離を確保でき、対地絶縁を取ることができる絶縁紙の装着方法を提供すること。【解決手段】ティース５３が挿通するティース挿通穴１４と、ティース５３の高さ寸法よりも長尺な寸法を有してティース挿通穴１４に隣接して配置され、ティース挿通穴１４の高さ方向の両外側にそれぞれ突出する舌状部１５と、を有する絶縁紙１、１Ａ、１Ｂを準備する工程と、スロット５２内へのコイル２の挿入前に、絶縁紙１、１Ａ、１Ｂのティース挿通穴１４にティース５３を挿通させる工程と、ティース挿通穴１４にティース５３を挿通させた後、且つ、スロット５２内へのコイル２の挿入後に、舌状部１５をスロット５２の開口部５２ａ側に折り曲げることにより、舌状部１５でコイル２を覆う工程と、を有する。【選択図】図６
2020080599.tif 000002
【特許請求の範囲】
【請求項１】
隣り合うスロット間にティースを有するステータコアの前記スロット内に配置され、前記スロット内に挿入されるコイルと前記ステータコアとを絶縁する絶縁紙の装着方法であって、
前記ティースが挿通するティース挿通穴と、前記ステータコアの軸方向に沿う前記ティースの高さ寸法よりも長尺な寸法を有して前記ティース挿通穴に隣接して配置され、前記ティース挿通穴の高さ方向の両外側にそれぞれ突出する舌状部と、を有する絶縁紙を準備する工程と、
前記スロット内への前記コイルの挿入前に、前記絶縁紙の前記ティース挿通穴に前記ティースを挿通させる工程と、
前記ティース挿通穴に前記ティースを挿通させた後、且つ、前記スロット内への前記コイルの挿入後に、前記舌状部を前記スロットの開口部側に折り曲げることにより、前記舌状部で前記コイルを覆う工程と、を有する絶縁紙の装着方法。
【請求項２】
前記絶縁紙は、前記スロットの内面に沿って収容されるスロット収容部と、前記ティース挿通穴の高さ方向の両端部に配置されて前記ティース挿通穴を挟んで隣り合う前記スロット収容部に亘る渡り部と、を有し、
前記舌状部で前記コイルを覆った後に、前記渡り部に、前記舌状部を開かないように押さえる押さえ部を形成する工程を更に有する、請求項１に記載の絶縁紙の装着方法。
【請求項３】
隣り合うスロット間にティースを有するステータコアの前記スロット内に配置され、前記スロット内に挿入されるコイルと前記ステータコアとを絶縁する絶縁紙の装着方法であって、
前記ティースに対応する部位を、前記ステータコアの軸方向に沿う前記ティースの高さ寸法よりも長尺な寸法で「エ」字状に切り込んだ切込み部と、前記ステータコアの軸方向に沿う両端部を同一方向に折り返すことにより前記切込み部の高さ方向の両端部を覆うカフス部と、を有する絶縁紙を準備する工程と、
前記スロット内への前記コイルの挿入前に、前記切込み部を前記カフス部と反対側に向けて開くことにより、前記切込み部の高さ方向の両端部の前記カフス部の間のティース挿通穴と、前記ティース挿通穴に隣接して配置される舌状部と、を形成すると共に、前記カフス部側から前記ティース挿通穴に前記ティースを挿通させる工程と、
前記ティース挿通穴に前記ティースを挿通させた後、且つ、前記スロット内への前記コイルの挿入後に、前記舌状部を前記スロットの開口部側に更に折り曲げることにより、前記舌状部で前記コイルを覆う工程と、を有する絶縁紙の装着方法。
【請求項４】
前記絶縁紙は、前記スロットの内面に沿って収容されるスロット収容部と、前記カフス部により形成されて隣り合う前記スロット収容部に亘る渡り部と、を有し、
前記舌状部で前記コイルを覆った後、前記切込み部の高さ方向の両端部の少なくともいずれかの前記カフス部を、前記渡り部を含んで前記ティース挿通穴よりも幅広に切り込んで前記舌状部側に折り返すことにより、前記舌状部を開かないように押さえる押さえ部を形成する工程を更に有する、請求項３に記載の絶縁紙の装着方法。
【請求項５】
隣り合うスロット間にティースを有するステータコアの前記スロット内に配置され、前記スロット内に挿入されるコイルと前記ステータコアとを絶縁する絶縁紙であって、
前記ティースが挿通するティース挿通穴と、
前記ティース挿通穴に隣接して配置され、前記スロットの開口部側に折り曲げられて前記スロット内の前記コイルを覆う舌状部と、を有し、
前記舌状部は、前記ステータコアの軸方向に沿う前記ティース挿通穴の高さ方向の両外側にそれぞれ突出している、絶縁紙。
【請求項６】
前記スロットの内面に沿って収容されるスロット収容部と、
前記ティース挿通穴の高さ方向の両端部に配置されて前記ティース挿通穴を挟んで隣り合う前記スロット収容部に亘る渡り部と、
前記渡り部と前記舌状部とに亘って延在し、前記コイルを覆う前記舌状部を開かないように押さえる押さえ部と、を更に有する、請求項５に記載の絶縁紙。
【請求項７】
隣り合うスロット間にティースを有するステータコアの前記スロット内に、請求項５又は６に記載の絶縁紙を介してコイルが配置される、ステータ。
【発明の詳細な説明】
【技術分野】
【０００１】
本発明は、絶縁紙の装着方法、絶縁紙及びステータに関する。
【背景技術】
【０００２】
従来、図１０、図１１に示す絶縁紙１００が知られている。この絶縁紙１００は、「エ」字状又は「コ」字状の切込み部１０１を有し、この切込み部１０１を開いて、ステータコア２００の隣り合うスロット２０１、２０１間に配置されるティース２０２を挿通させるように構成される。切込み部１０１の高さ寸法ｈ１は、ティース２０２の高さ寸法ｈ０と略等しい。切込み部１０１を開くことによって絶縁紙１００に舌状部１０２が形成される。スロット２０１に装着された絶縁紙１００の舌状部１０２は、スロット２０１内にコイル３００が挿入された後、スロット２０１の開口部２０１ａ側に折り曲げられることにより、コイル３００を覆うようになっている（例えば、特許文献１参照）。
【先行技術文献】
【特許文献】
【０００３】
【特許文献１】特許第５４９６２４３号公報
【発明の概要】
【発明が解決しようとする課題】
【０００４】
上記従来の絶縁紙１００の舌状部１０２は、ティース２０２の高さと略同じ高さを有する切込み部１０１によって形成されるため、舌状部１０２の高さはティース２０２と略同じ高さを有する。このため、図１１に示すように、舌状部１０２の高さ方向の両端部１０２ａ、１０２ａにおいて、スロット２０１の開口部２０１ａ側に配置されるコイル３００とティース２０２とが近接してしまう。その結果、スロット２０１の開口部２０１ａ側に配置されるコイル３００とティース２０２との間の沿面距離が十分に確保されず、対地絶縁を取ることができない問題があった。
【０００５】
そこで、本発明は、スロットの開口部側に配置されるコイルとティースとの間の沿面距離を確保でき、対地絶縁を取ることができる絶縁紙の装着方法、絶縁紙及びステータを提供することを目的とする。
【課題を解決するための手段】
【０００６】
（１）  本発明に係る絶縁紙の装着方法は、隣り合うスロット（例えば、後述のスロット５２）間のティース（例えば、ティース５３）を有するステータコア（例えば、後述のステータコア５０）の前記スロット内に配置され、前記スロット内に挿入されるコイル（例えば、後述のコイル２）と前記ステータコアとを絶縁する絶縁紙（例えば、後述の絶縁紙１、１Ａ、１Ｂ）の装着方法であって、前記ティースが挿通するティース挿通穴（例えば、後述のティース挿通穴１４）と、前記ステータコアの軸方向に沿う前記ティースの高さ寸法よりも長尺な寸法を有して前記ティース挿通穴に隣接して配置され、前記ティース挿通穴の高さ方向の両外側にそれぞれ突出する舌状部（例えば、後述の舌状部１５）と、を有する絶縁紙を準備する工程と、前記スロット内への前記コイルの挿入前に、前記絶縁紙の前記ティース挿通穴に前記ティースを挿通させる工程と、前記ティース挿通穴に前記ティースを挿通させた後、且つ、前記スロット内への前記コイルの挿入後に、前記舌状部を前記スロットの開口部（例えば、後述の開口部５２ａ）側に折り曲げることにより、前記舌状部で前記コイルを覆う工程と、を有する。
【０００７】
上記（１）に記載の絶縁紙の装着方法によれば、スロットの開口部側に配置されるコイルとティースとの間の沿面距離を確保でき、対地絶縁を取ることができる。
【０００８】
（２）  （１）に記載の絶縁紙の装着方法において、前記絶縁紙は、前記スロットの内面（例えば、後述の内面５２ｃ）に沿って収容されるスロット収容部（例えば、後述のスロット収容部１２）と、前記ティース挿通穴の高さ方向の両端部に配置されて前記ティース挿通穴を挟んで隣り合う前記スロット収容部に亘る渡り部（例えば、後述の渡り部１３ａ）と、を有し、前記舌状部で前記コイルを覆った後に、前記渡り部に、前記舌状部を開かないように押さえる押さえ部（例えば、後述の押さえ部１６）を形成する工程を更に有してもよい。
【０００９】
上記（２）に記載の絶縁紙の装着方法によれば、コイルを覆う舌状部がスロットの開口部の外側に開いてしまうことを防止することができる。
【００１０】
（３）  本発明に係る絶縁紙の装着方法は、隣り合うスロット（例えば、後述のスロット５２）間にティース（例えば、後述のティース５３）を有するステータコア（例えば、後述のステータコア５０）の前記スロット内に配置され、前記スロット内に挿入されるコイル（例えば、後述のコイル２）と前記ステータコアとを絶縁する絶縁紙（例えば、後述の絶縁紙１、１Ａ、１Ｂ）の装着方法であって、前記ティースに対応する部位を、前記ステータコアの軸方向に沿う前記ティースの高さ寸法よりも長尺な寸法で「エ」字状に切り込んだ切込み部（例えば、後述の切込み部１１）と、前記ステータコアの軸方向に沿う両端部（例えば、後述の端部１ａ）を同一方向に折り返すことにより前記切込み部の高さ方向の両端部を覆うカフス部（例えば、後述のカフス部１３）と、を有する絶縁紙を準備する工程と、前記スロット内への前記コイルの挿入前に、前記切込み部を前記カフス部と反対側に向けて開くことにより、前記切込み部の高さ方向の両端部の前記カフス部の間のティース挿通穴（例えば、後述のティース挿通穴１４）と、前記ティース挿通穴に隣接して配置される舌状部（例えば、後述の舌状部１５）と、を形成すると共に、前記カフス部側から前記ティース挿通穴に前記ティースを挿通させる工程と、前記ティース挿通穴に前記ティースを挿通させた後、且つ、前記スロット内への前記コイルの挿入後に、前記舌状部を前記スロットの開口部（例えば、後述の開口部５２ａ）側に更に折り曲げることにより、前記舌状部で前記コイルを覆う工程と、を有する。
【００１１】
上記（３）に記載の絶縁紙の装着方法によれば、切込み部とカフス部とを形成することにより、ティースの高さ方向の両外側に突出してコイルとティースとの間の沿面距離を確保可能な舌状部を、１枚の絶縁紙によって容易に形成することができる。
【００１２】
（４）  （３）に記載の絶縁紙の装着方法において、前記絶縁紙は、前記スロットの内面（例えば、後述の内面５２ｃ）に沿って収容されるスロット収容部（例えば、後述のスロット収容部１２）と、前記カフス部により形成されて隣り合う前記スロット収容部に亘る渡り部（例えば、後述の渡り部１３ａ）と、を有し、前記舌状部で前記コイルを覆った後、前記切込み部の高さ方向の両端部の少なくともいずれかの前記カフス部を、前記渡り部を含んで前記ティース挿通穴よりも幅広に切り込んで前記舌状部側に折り返すことにより、前記舌状部を開かないように押さえる押さえ部（例えば、後述の押さえ部１６）を形成する工程を更に有してもよい。
【００１３】
上記（４）に記載の絶縁紙の装着方法によれば、コイルを覆う舌状部がスロットの開口部の外側に開いてしまうことを防止することができる。
【００１４】
（５）  本発明に係る絶縁紙は、隣り合うスロット（例えば、後述のスロット５２）間にティース（例えば、後述のティース５３）を有するステータコア（例えば、後述のステータコア５０）の前記スロット内に配置され、前記スロット内に挿入されるコイル（例えば、後述のコイル２）と前記ステータコアとを絶縁する絶縁紙（例えば、後述の絶縁紙１、１Ａ、１Ｂ）であって、前記ティースが挿通するティース挿通穴（例えば、後述のティース挿通穴１４）と、前記ティース挿通穴に隣接して配置され、前記スロットの開口部（例えば、後述の開口部５２ａ）側に折り曲げられて前記スロット内の前記コイルを覆う舌状部（例えば、後述の舌状部１５）と、を有し、前記舌状部は、前記ステータコアの軸方向に沿う前記ティース挿通穴の高さ方向の両外側にそれぞれ突出している。
【００１５】
上記（５）に記載の絶縁紙によれば、ティース挿通穴の高さ方向の両外側にそれぞれ突出する舌状部により、スロットの開口部側に配置されるコイルとティースとの間の沿面距離を確保でき、対地絶縁を取ることができる。
【００１６】
（６）  （５）に記載の絶縁紙において、前記スロットの内面（例えば、後述の内面５２ｃ）に沿って収容されるスロット収容部（例えば、後述のスロット収容部１２）と、前記ティース挿通穴の高さ方向の両端部に配置されて前記ティース挿通穴を挟んで隣り合う前記スロット収容部に亘る渡り部（例えば、後述の渡り部１３ａ）と、前記渡り部と前記舌状部とに亘って延在し、前記コイルを覆う前記舌状部を開かないように押さえる押さえ部（例えば、後述の押さえ部１６）と、を更に有してもよい。
【００１７】
上記（６）に記載の絶縁紙によれば、コイルを覆う舌状部がスロットの開口部の外側に開いてしまうことを防止することができる。
【００１８】
（７）  本発明に係るステータ（例えば、後述のステータ６０）は、隣り合うスロット（例えば、後述のスロット５２）間にティース（例えば、後述のティース５３）を有するステータコア（例えば、後述のステータコア５０）の前記スロット内に、（５）又は（６）に記載の絶縁紙を介してコイル（例えば、後述のコイル２）が配置される。
【００１９】
上記（７）に記載のステータによれば、ティース挿通穴の高さ方向の両外側にそれぞれ突出する舌状部により、スロットの開口部側に配置されるコイルとティースとの間の沿面距離を確保でき、対地絶縁を取ることができる。
【発明の効果】
【００２０】
本発明によれば、スロットの開口部側に配置されるコイルとティースとの間の沿面距離を確保でき、対地絶縁を取ることができる絶縁紙の装着方法、絶縁紙及びステータを提供することができる。
【図面の簡単な説明】
【００２１】
【図１】本発明の一実施形態に係る絶縁紙が装着されたステータの一部を示す横断面図である。
【図２】本発明の一実施形態に係る絶縁紙の正面図である。
【図３】図２に示す絶縁紙の上下端部を折り返す様子を説明する斜視図である。
【図４】図２に示す絶縁紙のティース挿通穴を示す正面図である。
【図５】図２に示す絶縁紙をステータコアに装着する様子を説明する斜視図である。
【図６】図２に示す絶縁紙をステータコアに装着した状態を示す斜視図である。
【図７】本発明に係る絶縁紙の他の実施形態を示す正面図である。
【図８】図７に示す絶縁紙の上下端部を折り返す様子を説明する斜視図である。
【図９】絶縁紙に押さえ部を形成する様子を説明する斜視図である。
【図１０】従来の絶縁紙を示す正面図である。
【図１１】図１０に示す従来の絶縁紙をステータコアに装着した状態を示す斜視図である。
【発明を実施するための形態】
【００２２】
以下、本発明の実施形態について図面を参照して詳細に説明する。
図１は、本発明の一実施形態に係る絶縁紙が装着されたステータの一部を示す横断面図である。図２は、本発明の一実施形態に係る絶縁紙の正面図である。図３は、図２に示す絶縁紙の上下端部を折り返す様子を説明する斜視図である。
図１に示すように、ステータコア５０は中央に軸孔５１を有し、この軸孔５１に臨んで、複数のスロット５２と、隣り合うスロット５２、５２の間に配置される複数のティース５３と、を有する。なお、本明細書の図中に示す方向において、Ｄ１方向はステータコア５０の周方向を示し、Ｄ２方向はステータコア５０の軸方向を示す。このＤ２方向は、ティース５３の高さ方向でもある。
【００２３】
スロット５２は、ステータコア５０の周方向に沿って均等間隔で放射状に配列されている。各スロット５２は、軸孔５１に開放する開口部５２ａから底部５２ｂに向けて凹設された溝状に形成されている。各スロット５２は、ステータコア５０の軸方向（図１における紙面に対する垂直方向）に貫通している。各スロット５２内に絶縁紙１とコイル２とが収容されることにより、ステータ６０が構成される。
【００２４】
ステータコア５０へ装着する前の絶縁紙１は、図２に示すように、ステータコア５０の周方向に長尺な帯状に形成され、長さ方向（Ｄ１方向に沿う方向）に等間隔で配置される複数の切込み部１１を有する。また、隣り合う切込み部１１、１１の間は、絶縁紙１がスロット５２内に装着された際に、スロット５２の内面５２ｃに沿って収容されるスロット収容部１２とされる。
【００２５】
切込み部１１は、絶縁紙１の高さ方向（Ｄ２方向）に沿って延びる縦切込み線１１ａと、この縦切込み線１１ａの上下端部につながり、絶縁紙１の長さ方向に延びる短尺な横切込み線１１ｂ、１１ｂと、からなる「エ」字状に形成される。切込み部１１の高さ寸法Ｈ１は、ステータコア５０の軸方向に沿うティース５３の高さ寸法Ｈ０（図５参照）よりも長尺に形成される。この切込み部１１の高さ寸法Ｈ１がティース５３の高さ寸法Ｈ０よりも長尺であることにより、後述するように、切込み部１１を開くことによって形成される舌状部１５がティース５３の高さ寸法Ｈ０よりも高くなり、沿面距離が確保される。この切込み部１１の高さ寸法Ｈ１は、沿面距離を十分に確保できるようにする観点から、ティース５３の高さ寸法Ｈ０よりも必要沿面距離の２倍程度長尺にすることが望ましい。なお、全ての切込み部１１の形状、寸法及び隣り合う切込み部１１、１１の離間距離は略同一である。
【００２６】
図２に示す絶縁紙１のＤ２方向に沿う高さ寸法は、切込み部１１の高さ寸法Ｈ１よりも十分に大きい。各切込み部１１は、絶縁紙１の高さ方向の中央に配列されている。このため、絶縁紙１の高さ方向の両端部１ａ、１ａは、切込み部１１の上下端部からそれぞれ高さ寸法Ｈ２で両外側（上側及び下側）に向けて延びている。この端部１ａの高さ寸法Ｈ２は、切込み部１１の高さ寸法Ｈ１からティース５３の高さ寸法Ｈ０を差し引いた寸法の半分よりも大きい（即ち、Ｈ２＞（Ｈ１−Ｈ０）／２）。また、切込み部１１の横切込み線１１ｂの幅Ｗ１は、軸孔５１に臨むティース５３の先端面５３ａの幅Ｗ０（図５参照）と同等以上である（即ち、Ｗ１≧Ｗ０）。
【００２７】
絶縁紙１の両端部１ａ、１ａは、図３に示すように、それぞれ横切込み線１１ｂの近傍で絶縁紙１の長さ方向に亘って同一方向に折り返されることにより、絶縁紙１の長さ方向全長に亘るカフス部１３、１３を構成する。カフス部１３は、各切込み部１１の高さ方向の両端部を覆っている。即ち、絶縁紙１をカフス部１３側から観察した場合、カフス部１３は、上下の横切込み線１１ｂを完全に覆うと共に、縦切込み線１１ａに差し掛かり、この縦切込み線１１ａの上下端部を覆っている。
【００２８】
次に、この絶縁紙１をステータコア５０に装着する方法について、図４〜図６を用いて説明する。図４は、図２に示す絶縁紙のティース挿通穴を示す正面図である。図５は、図２に示す絶縁紙をステータコアに装着する様子を説明する斜視図である。図６は、図２に示す絶縁紙をステータコアに装着した状態を示す斜視図である。
先ず、図３に示す絶縁紙１を準備する。即ち、絶縁紙１は、複数の切込み部１１と、同一側に折り返されたカフス部１３、１３と、を有する。
【００２９】
次いで、図４に示すように、切込み部１１をカフス部１３、１３と反対側に向けて開くことにより、ティース挿通穴１４と、一対の舌状部１５、１５と、を形成する。
【００３０】
カフス部１３は縦切込み線１１ａの上下端部を覆うため、絶縁紙１をカフス部１３の反対側（切込み部１１を開く側）から観察した場合、開かれた切込み部１１によって形成される矩形開口の高さ方向の両端部に、カフス部１３、１３の一部が矩形状に露出する。この矩形状の露出部位は、切込み部１１の高さ方向の両端部において、切込み部１１を挟んで隣り合うスロット収容部１２、１２に亘る渡り部１３ａ、１３ａを構成する。ティース挿通穴１４は、開かれた切込み部１１から露出する上下の渡り部１３ａ、１３ａの間の矩形開口によって形成される。このティース挿通穴１４の高さ寸法Ｈ３は、ティース５３の高さ寸法Ｈ０（図５参照）に略等しい。また、ティース挿通穴１４の開口幅は、切込み部１１の横切込み線１１ｂの幅Ｗ１とされる。
【００３１】
切込み部１１を開くことにより、ティース挿通穴１４と同時に、一対の舌状部１５、１５が形成される。一対の舌状部１５、１５は、ティース挿通穴１４の両側に隣接して配置される。舌状部１５の先端縁は、切込み部１１の縦切込み線１１ａによって形成され、舌状部１５の上下端縁は、横切込み線１１ｂによって形成される。舌状部１５の高さ寸法は切込み部１１の高さ寸法Ｈ１に等しく、ティース挿通穴１４の高さ寸法Ｈ３よりも大きい。このため、舌状部１５の高さ方向の両端部１５ａ、１５ａは、ティース挿通穴１４の高さ方向の両外側（上側及び下側）にそれぞれ突出し、ティース挿通穴１４と上下の渡り部１３ａ、１３ａとを両側から挟んでいる。
【００３２】
次いで、図５に示すように、各スロット収容部１２を、スロット５２の内面５２ｃの形状に沿うようにカフス部１３、１３側に折り曲げた後、絶縁紙１のカフス部１３、１３側からステータコア５０のティース５３を各ティース挿通穴１４に挿通させ、絶縁紙１をステータコア５０に装着する。これにより、図６に示すように、ティース５３の先端は、絶縁紙１のティース挿通穴１４から突出し、ティース挿通穴１４の上下端部から露出する絶縁紙１の渡り部１３ａ、１３ａは、ティース５３の上下端面５３ｂに当接して配置される。また、絶縁紙１の各スロット収容部１２は、スロット５２内に、スロット５２の内面５２ｃに沿って配置される。その後、各スロット５２内に、スロット５２の複数本のコイル２が挿入されて深さ方向に積層される。
【００３３】
スロット５２内にコイル２が挿入された後、絶縁紙１の各舌状部１５を、スロット５２を塞ぐように、開口部５２ａ側に折り曲げる。一つの切込み部１１によって形成される一対の舌状部１５、１５は、それぞれに隣り合うスロット５２、５２側に折り曲げられる。これにより、図１に示すように、一つのスロット５２内のコイル２は、隣り合うティース挿通穴１４、１４の間に配置される２つの舌状部１５、１５によって覆われたステータ６０が得られる。
【００３４】
舌状部１５の高さ方向の両端部１５ａ、１５ａは、ティース挿通穴１４の高さ方向の両外側に突出しているため、図６に示すように、各舌状部１５の両端部１５ａ、１５ａは、ティース５３の上下端面５３ｂよりもティース５３の高さ方向の両外側に突出して延在する。このため、スロット５２の開口部５２ａ側に配置されるコイル２１とティース５３の上下端面５３ｂとの間は、舌状部１５の両端部１５ａ、１５ａによって隔絶される。その結果、このコイル２１とティース５３との間の沿面距離が十分に確保され、対地絶縁を取ることができる。
【００３５】
また、絶縁紙１には、複数の切込み部１１と上下両端部のカフス部１３、１３とを形成するだけでよいため、ティース５３の高さ方向の両外側に突出してコイル２１とティース５３との間の沿面距離を確保可能な舌状部１５を、１枚の絶縁紙１によって容易に形成することができる。
【００３６】
更に、カフス部１３、１３によって形成される渡り部１３ａ、１３ａが、ティース５３の上下端面５３ｂ、５３ｂに当接して配置されるため、これら渡り部１３ａ、１３ａによって、ステータコア５０の軸方向に沿う絶縁紙１の位置決めを容易に行うことができる。
【００３７】
次に、コイル２を覆う舌状部１５、１５が開かないように押さえる押さえ部１６を有する絶縁紙１Ａについて説明する。
図７は、本発明に係る絶縁紙の他の実施形態を示す正面図である。図８は、図７に示す絶縁紙の上下端部を折り返す様子を説明する斜視図である。図９は、絶縁紙に押さえ部を形成する様子を説明する斜視図である。図１〜図６と同一符号の部位は同一構成の部位を示しているため、それらの説明は上記説明を援用し、以下の説明では省略する。
【００３８】
図７に示す絶縁紙１Ａは、絶縁紙１Ａの高さ方向の両端部１ａ、１ａに押さえ部１６、１６を有する。押さえ部１６は、絶縁紙１Ａの両端部１ａ、１ａに、各切込み部１１の位置に対応して配置され、両端部１ａ、１ａに一対のＬ型切込み部１７、１７を設けることによって形成される。この押さえ部１６が設けられる部位は、カフス部１３によってティース挿通穴１４内に露出する渡り部１３ａに対応する部位である。
【００３９】
一対のＬ型切込み部１７、１７は、絶縁紙１Ａの高さ方向の両端縁１ｂ、１ｂから、その端縁１ｂに対してそれぞれ略直角に切り込んだ第１切込み線１７ａ、１７ａと、第１切込み線１７ａ、１７ａの切り込み方向（切込み部１１側に向かう方向）の先端側を互いに近接する方向に略直角に屈曲させて切り込んだ第２切込み線１７ｂ、１７ｂと、により形成される。
【００４０】
第１切込み線１７ａ、１７ａの長さは、絶縁紙１Ａの端部１ａの高さ寸法Ｈ２０よりも短尺であり、端部１ａの高さ寸法Ｈ２０の略半分とされる。また、一対のＬ型切込み部１７、１７における第１切込み線１７ａ、１７ａの間隔（＝押さえ部１６の幅）Ｗ２は、切込み部１１の横切込み線１１ｂの幅Ｗ１よりも大きい。更に、一対のＬ型切込み部１７、１７における第２切込み線１７ｂ、１７ｂの間隔Ｗ３は、切込み部１１の横切込み線１１ｂの幅Ｗ１に略等しい。従って、第２切込み線１７ｂ、１７ｂの間隔Ｗ３は、ティース５３の先端面５３ａの幅Ｗ０以上とされる。なお、この絶縁紙１Ａの端部１ａの高さ寸法Ｈ２０は、押さえ部１６を形成したことにより、Ｌ型切込み部１７の第１切込み線１７ａの長さの分だけ、上記の絶縁紙１の端部１ａの高さ寸法Ｈ２よりも大きく設定される。
【００４１】
絶縁紙１Ａの両端部１ａ、１ａも、図８に示すように、上記の絶縁紙１と同様に、それぞれ横切込み線１１ｂの近傍で絶縁紙１Ａの長さ方向に亘って同一方向に折り返されることにより、カフス部１３、１３を構成する。その後、切込み部１１を開くことにより、ティース挿通穴１４と一対の舌状部１５、１５とが形成される。このとき、ティース挿通穴１４内に露出する上下の渡り部１３ａ、１３ａに、押さえ部１６が一体に配置される。
【００４２】
この絶縁紙１Ａをステータコア５０に装着する方法も、絶縁紙１の場合と同様の手順で行われる。即ち、絶縁紙１Ａのティース挿通穴１４にティース５３を挿通し、スロット収容部１２をスロット５２内に収容する。更にスロット５２にコイル２が挿入された後に、舌状部１５を折り曲げることにより、スロット５２内のコイル２を覆う。
【００４３】
舌状部１５でコイル２を覆った後は、図９に示すように、ティース５３の上下に配置される絶縁紙１Ａの渡り部１３ａ、１３ａから、舌状部１５、１５と同一側に押さえ部１６を引き出し、Ｌ型切込み部１７の第２切込み線１７ｂに沿って手前側（軸孔５１側）に折り曲げる。折り曲げられた押さえ部１６は、ティース５３の上下端面５３ｂに沿うように配置される。
【００４４】
ここで、押さえ部１６の幅Ｗ２は、切込み部１１の横切込み線１１ｂの幅Ｗ１よりも大きいので、ティース挿通穴１４の幅よりも大きい。このため、手前側に折り曲げられた押さえ部１６の両端部１６ａ、１６ａは、ティース５３の両側の各舌状部１５、１５に向けて延び、各舌状部１５、１５に軸孔５１側から当接する。これにより、押さえ部１６は、各舌状部１５、１５を開かないようにコイル２側に向けて押さえ付けるように機能する。なお、図９は、ティース５３の上側の押さえ部１６のみを示すが、ティース５３の下側にも同様に折り曲げられた押さえ部１６が配置される。
【００４５】
以上のように絶縁紙１Ａがステータコア５０に装着されることにより、押さえ部１６によって、スロット５２内のコイル２を覆う舌状部１５、１５がスロット５２の開口部５２ａの外側に開いてしまうことを効果的に防止することができる。
【００４６】
以上の絶縁紙１、１Ａでは、切込み部１１を開くことによって、ティース挿通穴１４と舌状部１５とが同時に形成されるようにしたが、これに限らない。即ち、図示しないが、絶縁紙１、１Ａにはティース挿通穴１４のみを形成し、そのティース挿通穴１４に隣接する位置に、ティース挿通穴１４の高さ方向の両外側に突出する舌状部１５を、接着等の手段によって後付けするようにしてもよい。後付けされた舌状部１５も、コイル２の挿入後にスロット５２の開口部５２ａ側に折り曲げることにより、コイル２を覆うように構成される。
【００４７】
また、押さえ部１６も、Ｌ型切込み部１７を設けることによって渡り部１３ａに一体に形成するものに限らない。即ち、図示しないが、渡り部１３ａと別体に形成された押さえ部１６を、舌状部１５でコイル２を覆った後に、ティース挿通穴１４に露出する渡り部１３ａに対して、接着等の手段によって後付けするようにしてもよい。
【符号の説明】
【００４８】
１、１Ａ  絶縁紙
１ａ  （絶縁紙の）端部
１１  切込み部
１２  スロット収容部
１３  カフス部
１３ａ  渡り部
１４  ティース挿通穴
１５  舌状部
１６  押さえ部
２  コイル
５０  ステータコア
５２  スロット
５２ａ  開口部
５２ｃ  （スロットの）内面
５３  ティース
６０  ステータ
【図１】
2020080599.tif 000003
【図２】
2020080599.tif 000004
【図３】
2020080599.tif 000005
【図４】
2020080599.tif 000006
【図５】
2020080599.tif 000007
【図６】
2020080599.tif 000008
【図７】
2020080599.tif 000009
【図８】
2020080599.tif 000010
【図９】
2020080599.tif 000011
【図１０】
2020080599.tif 000012
【図１１】
2020080599.tif 000013